【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
金属又は金属酸化物の少なくとも一方の化合物からなる発熱部接液面を有した記録ヘッドを備えたサーマルインクジェットプリンタに用いられる、色材を３重量％以上含有し、且つ、色材の緩衝領域のｐＨで使用するインクジェット用インクであって、緩衝領域をもつ色材と下記一般式（１）で表されるｐＨ緩衝領域拡大助剤を含有することを特徴とするインクジェット用インク。
一般式（１）
【化１】
2006037062.tif 000001
（但し、一般式（１）中、Ｘは、カルボキシル基又はスルホン酸基を表す。Ｙは、水素原子、カルボキシル基及びスルホン酸基のいずれかを表す。ｎは、０又は１の整数を表し、ｍは０乃至２の何れかの整数を表す。）
【請求項２】
該緩衝領域をもつ色材の酸性度定数をｐＫａ１とし、該ｐＨ緩衝領域拡大助剤の酸性度定数をｐＫａ２としたとき、ｐＫａ１とｐＫａ２との差が０以上１以下であり、且つ、該緩衝領域をもつ色材の酸性度定数（ｐＫａ１）と該ｐＨ緩衝領域拡大助剤の酸性度定数（ｐＫａ２）との関係が、下記式（Ａ）の関係である請求項１記載のインクジェット用インク。
式（Ａ）
ｐＫａ１≧ｐＫａ２
【請求項３】
該色材が下記一般式（２）で表される構造を持つ請求項１又は２に記載のインクジェット用インク。
一般式（２）
【化２】
2006037062.tif 000002
（一般式（２）中、Ａｒ１は、未置換又は置換されていてもよいベンゼン環、未置換又は置換されていてもよいナフチル環、又は下記一般式（３）で表される置換基を表し、Ａｒ２は、未置換又は置換されていてもよいベンゼン環、未置換又は置換されていてもよいナフチル環を表す。）
一般式（３）
【化３】
2006037062.tif 000003
（一般式（３）中、Ｒ１は水素原子、アルコキシカルボニル基又は、未置換又は置換されていてもよいベンゾイル基を表し、Ｒ２は水素原子、アルキル基、ヒドロキシ低級アルキル基、シクロヘキシル基、モノ又はジアルキルアミノアルキル基、シアノ低級アルキル基を表し、Ｘは、カルボン酸基、スルホン酸基、又はその塩を表し、ｌは、１又は２を表す。）
【請求項４】
該色材が下記一般式（４）で表されるアントラピリドン化合物又はその塩である請求項１乃至３のいずれか一項に記載のインクジェット用インク。
一般式（４）
【化４】
2006037062.tif 000004
（一般式（４）中、Ｒ３は、水素原子、アルキル基、ヒドロキシ低級アルキル基、シクロヘキシル基、モノ又はジアルキルアミノアルキル基、シアノ低級アルキル基、Ｒ４、Ｒ５、Ｒ６、Ｒ７、Ｒ８、はそれぞれ独立して水素原子、炭素数１から８までのアルキル基、カルボキシル基（但し、Ｒ４、Ｒ５、Ｒ６、Ｒ７、Ｒ８のすべてが水素原子である場合を除く。）である。）
【請求項５】
該一般式（１）で表されるｐＨ緩衝領域拡大助剤がタウリン（２−アミノエタンスルホン酸）である請求項１乃至４のいずれか一項に記載のインクジェット用インク。
【請求項６】
インクを記録信号に応じてオリフィスから吐出させて記録媒体上に記録を行うインクジェット記録方法において、該インクが請求項１乃至５のいずれか一項に記載のインクジェット用インクであることを特徴とするインクジェット記録方法。
【請求項７】
インクを収容したインク収容部及び該インクを吐出させるための記録ヘッドを備えた記録ユニットにおいて、該インクが、請求項１乃至５のいずれか一項に記載のインクジェット用インクであることを特徴とする記録ユニット。
【請求項８】
インクを収容したインク収容部を備えたインクカートリッジにおいて、該インクが、請求項１乃至５のいずれか一項に記載のインクジェット用インクであることを特徴とするインクカートリッジ。
【請求項９】
インクを収容したインク収容部及び該インクを吐出させるためのヘッド部を有する記録ユニットを備えたインクジェット記録装置において、該インクが、請求項１乃至５のいずれか一項に記載のインクジェット用インクであることを特徴とするインクジェット記録装置。
【手続補正２】
【補正対象書類名】明細書
【補正対象項目名】００３７
【補正方法】変更
【補正の内容】
【００３７】
本発明の第５の目的を達成する手段は、一般式（１）で表されるｐＨ緩衝領域拡大助剤がタウリン（２−アミノエタンスルホン酸）であるインクジェット用インクである。
【手続補正３】
【補正対象書類名】明細書
【補正対象項目名】００３８
【補正方法】変更
【補正の内容】
【００３８】
本発明の第１の手段の効果は、該発熱部接液面を有した記録ヘッドを備えたサーマルインクジェットプリンタに用いられる、色材を３％重量以上含有し、且つ、色材の緩衝領域のｐＨで使用するインクジェット用インクであって、緩衝領域をもつ色材と下記一般式（１）で表されるｐＨ緩衝領域拡大助剤をインクジェット用インクに含有することにより、連続印字を長期間（印字耐久試験）行っても、高品位の印字物を得ることができ、且つ、インクのｐＨが、所望の範囲内（好ましくはほぼ一定）に保持できるインクジェット用インク、当該インクを用いた記録方法、記録ユニット、インクタンク、記録装置を提供することにある。
【手続補正４】
【補正対象書類名】明細書
【補正対象項目名】００３９
【補正方法】変更
【補正の内容】
【００３９】
本発明の第２の手段の効果は、前記本発明の第１の目的を達成する手段において、該色材の酸性度定数をｐＫａとし、該ｐＨ緩衝領域拡大助剤の酸性度定数をｐＫａとしたとき、ｐＫａ１とｐＫａ２との差が０以上１以下であり、且つ、該緩衝領域をもつ色材の酸性度定数（ｐＫａ１）と該ｐＨ緩衝領域拡大助剤の酸性度定数（ｐＫａ２）との関係が、上記式（Ａ）の関係のインクジェット用インクを使用することにより、連続印字を長期間（印字耐久試験）行っても、高品位の印字物を得ることができ、且つ、インクのｐＨが、所望の範囲内（好ましくはほぼ一定）に保持できるインクジェット用インク、当該インクを用いた記録方法、記録ユニット、インクタンク、記録装置を提供することにある。
【手続補正５】
【補正対象書類名】明細書
【補正対象項目名】００４０
【補正方法】変更
【補正の内容】
【００４０】
本発明の第３の手段の効果は、該色材が下記一般式（２）で表される色材を含有するインクジェット用インクを使用することにより、連続印字を長期間（印字耐久試験）行っても、高品位の印字物を得ることができ、且つ、インクのｐＨが、所望の範囲内（好ましくはほぼ一定）に保持できるインクジェット用インク、当該インクを用いた記録方法、記録ユニット、インクタンク、記録装置を提供することにある。
【手続補正６】
【補正対象書類名】明細書
【補正対象項目名】００４１
【補正方法】変更
【補正の内容】
【００４１】
本発明の第４の手段の効果は、該色材が下記一般式（４）で表される色材を含有するインクジェット用インクを使用することにより、連続印字を長期間（印字耐久試験）行っても、高品位の印字物を得ることができ、且つ、インクのｐＨが、所望の範囲内（好ましくはほぼ一定）に保持できるインクジェット用インク、当該インクを用いた記録方法、記録ユニット、インクタンク、記録装置を提供することにある。
【手続補正７】
【補正対象書類名】明細書
【補正対象項目名】００４２
【補正方法】変更
【補正の内容】
【００４２】
本発明の第５の手段の効果は、一般式（１）で表される化合物がタウリン（２−アミノエタンスルホン酸）であり、且つ、タウリンがインク中に含有されるインクジェット用インクを使用することにより、連続印字を長期間（印字耐久試験）行っても、高品位の印字物を得ることができ、且つ、インクのｐＨが、所望の範囲内（好ましくはほぼ一定）に保持できるインクジェット用インク、当該インクを用いた記録方法、記録ユニット、インクタンク、記録装置を提供することにある。
【手続補正８】
【補正対象書類名】明細書
【補正対象項目名】００４５
【補正方法】変更
【補正の内容】
【００４５】
本発明のインクジェット記録方法は、金属又は金属酸化物の少なくとも一方の化合物からなる発熱部接液面を有した記録ヘッドを備えたサーマルインクジェットプリンタに用いられる、色材を３重量％以上含有し、且つ、色材の緩衝領域のｐＨで使用するインクジェット用インクであって、緩衝領域をもつ色材と下記一般式（１）で表されるｐＨ緩衝領域拡大助剤を含有することを特徴とする。
【手続補正９】
【補正対象書類名】明細書
【補正対象項目名】００６５
【補正方法】変更
【補正の内容】
【００６５】
又、該発熱部の劣化、更には、断線は、インクの使用範囲内に緩衝領域をもつ色材をインク中に３％以上含有しているインクで、印字耐久試験を行っているときに見出された現象である。
【手続補正１０】
【補正対象書類名】明細書
【補正対象項目名】００７８
【補正方法】変更
【補正の内容】
【００７８】
【化１１】
2006037062.tif 000005
【手続補正１１】
【補正対象書類名】明細書
【補正対象項目名】００８５
【補正方法】変更
【補正の内容】
【００８５】
（３）マススペクトルの分析条件については以下の通り。
得られたピークに対して、下記の条件でマススペクトルを測定し、最も強く検出されたＭ／Ｚをｐｏｓｉ、ｎｅｇａそれぞれに対して測定する。
イオン化法
ＥＳＩ
キャピラリ電圧    ３．５ｋＶ
脱溶媒ガス      ３００℃
イオン源温度    １２０℃
検出器
ｐｏｓｉ        ４０Ｖ  ２００−１５００ａｍｕ／０．９ｓｅｃ
ｎｅｇａ        ４０Ｖ  ２００−１５００ａｍｕ／０．９ｓｅｃ
前記例示化合物のうち、例示化合物１に対しての保持時間、極大吸収波長、Ｍ／Ｚ（ｐｏｓｉ）、Ｍ／Ｚ（ｎｅｇａ）の値を下記に示す。
【手続補正１２】
【補正対象書類名】明細書
【補正対象項目名】００９０
【補正方法】変更
【補正の内容】
【００９０】
図２に、例示化合物１の５重量％を含むインクの酸アルカリ滴定曲線を示す。図２の見方は、図１と同様である。図２より、ＣからＤの範囲が、例示化合物１の緩衝領域であり、ｐＨ６．８以上ｐＨ１０．８以下である。
【手続補正１３】
【補正対象書類名】明細書
【補正対象項目名】００９１
【補正方法】変更
【補正の内容】
【００９１】
図３に、例示化合物１を５重量％とタウリンを２重量％含むインクの酸アルカリ滴定曲線を示す。図３の見方は、図１と同様である。図３より、ＥからＦの範囲が、実施例の緩衝領域であり、ｐＨ７．３以上ｐＨ１０．５以下である。
【手続補正１４】
【補正対象書類名】明細書
【補正対象項目名】００９２
【補正方法】変更
【補正の内容】
【００９２】
図１、図２と図３を比較すると、タウリン２重量％水溶液、又は、例示化合物１の５重量％インクでのｐＨ緩衝領域は、酸アルカリ添加量が、１００ｍｍｏｌ／Ｌから１５０ｍｍｏｌ／Ｌなのに対して、タウリン２重量％と例示化合物１を５重量％含むインクでのｐＨ緩衝領域は、酸アルカリ添加量は、２２０ｍｍｏｌ／Ｌである。タウリンをインクに添加することで、インクのｐＨ緩衝領域が拡大した。インクのｐＨ緩衝領域が拡大するということは、ｐＨの変化に対して、ｐＨをより一定に保持できることを意味している。
【手続補正１５】
【補正対象書類名】明細書
【補正対象項目名】００９５
【補正方法】変更
【補正の内容】
【００９５】
図２より、例示化合物１の５重量％水溶液のｐＫａは、８．９である。図１、図２より、該緩衝領域をもつ色材の酸性度定数をｐＫａ１とし、該ｐＨ緩衝領域拡大助剤の酸性度定数をｐＫａ２としたとき、ｐＫａ１とｐＫａ２との差が０以上１以下であり、且つ、該緩衝領域をもつ色材の酸性度定数（ｐＫａ１）と該ｐＨ緩衝領域拡大助剤の酸性度定数（ｐＫａ２）との関係が、下記式（Ａ）の関係を満足していることがわかる。
式（Ａ）
ｐＫａ１≧ｐＫａ２
【手続補正１６】
【補正対象書類名】明細書
【補正対象項目名】００９６
【補正方法】変更
【補正の内容】
【００９６】
（ｐＨ緩衝領域拡大助剤）
本発明において、ｐＨ緩衝領域拡大助剤とは、上記一般式（１）の構造の化合物であり、該ｐＨ緩衝領域拡大助剤をインク中に含有させることで、インクのｐＨ緩衝領域を拡大する化合物のことである。上記一般式（１）の代表例としてタウリンを、緩衝領域を有する色材の代表例として例示化合物１を例に説明すると、タウリンを２重量％含有する水溶液の滴定曲線は、図１である。図２は、例示化合物１を５重量％含有するインクの滴定曲線である。そして、図３は、例示化合物を５重量％とタウリンを２重量％含有するインクの滴定曲線である。図１と図３とを比較すると、図３の方が、緩衝領域が広くなっている。図２と図３とを比較すると、図３の方が、緩衝領域が広くなっている。このことから、タウリンと例示化合物１を一緒にインク中に含有させることで、緩衝領域が、拡大したことがわかる。
【手続補正１７】
【補正対象書類名】明細書
【補正対象項目名】００９７
【補正方法】変更
【補正の内容】
【００９７】
（水溶性有機溶剤及び添加剤）
本発明のインクでは、どのような水溶性有機溶剤及び添加剤が含まれるかについては特に限定はない。任意で各種水溶性有機溶剤を用いることができる。水溶性有機溶剤には、水溶性であれば特に制限は無く、アルコール、多価アルコール、ポリグリコール、グリコールエーテル、含窒素極性溶媒、含硫黄極性溶媒等が挙げられる。下記に、本発明のインクで使用することができる水溶性有機溶剤について例示するが、これらの水溶性有機溶剤に限定されるものではない。具体的には例えば、メチルアルコール、エチルアルコール、ｎープロピルアルコール、イソプロピルアルコール、ｎ−ブチルアルコール、ｓｅｃ−ブチルアルコール、ｔｅｒｔ−ブチルアルコール等の炭素数１から４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオ−ル、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；トリメチロールプロパン、トリメチロールエタン等の多価アルコール；Ｎ−メチル−２−ピロリドン、２−ピロリドン、１，３−ジメチル−２−イミダゾリジノン等が挙げられる。上記のごとき水溶性有機溶剤は、単独でもあるいは混合物としても使用することができる。
【手続補正１８】
【補正対象書類名】明細書
【補正対象項目名】００９８
【補正方法】変更
【補正の内容】
【００９８】
又、必要に応じて、界面活性剤、ｐＨ調整剤、防錆剤、防腐剤、防黴剤、酸化防止剤、還元防止剤、蒸発促進剤、キレート化剤、及び、水溶性ポリマーなど、種々の添加剤を含有させても良い。
【手続補正１９】
【補正対象書類名】明細書
【補正対象項目名】０１２８
【補正方法】変更
【補正の内容】
【０１２８】
この反応液中にアンスラニル酸を添加し、水酸化ナトリウム存在下、縮合反応を行った。これを濾過、洗浄し、例示化合物１を得た。
【手続補正２０】
【補正対象書類名】明細書
【補正対象項目名】０１２９
【補正方法】変更
【補正の内容】
【０１２９】
化合物α
【手続補正２１】
【補正対象書類名】明細書
【補正対象項目名】０１４１
【補正方法】変更
【補正の内容】
【０１４１】
【図１】タウリン２％水溶液の滴定曲線である。
【図２】実施例の滴定曲線である。
【図３】比較例の滴定曲線である。
【図４】本発明の実施形態における記録装置の斜視図である。
【図５】本発明の実施形態における記録装置の機構部の斜視図である。
【図６】本発明の実施形態における記録装置の断面図である。
【図７】本発明の実施形態で適用したヘッドカートリッジにインクタンクを装着する状態示した斜視図である。
【図８】本発明の実施形態で適用したヘッドカートリッジの分解斜視図である。
【図９】本発明の実施形態で適用したヘッドカートリッジにおける記録素子基板を示す正面図である。